(57)【要約】【課題】  本発明の実施形態は、外部装置が好適に画質調整処理を実行できることを可能とする映像処理装置及び映像処理方法の提供を目的とする。【解決手段】  上記の課題を解決するために、本実施形態に係る映像処理装置は、映像を処理する映像処理装置であって、生成手段と、送信手段と、を備える。ここで、生成手段は、映像の画質を調整するための補正データを生成する。そして、送信手段は、映像と補正データとを映像処理装置の外部にある外部装置に送信する。【選択図】図３
2013251768.tif 000002
【特許請求の範囲】
【請求項１】
映像を処理する映像処理装置であって、
前記映像の画質を調整するための補正データを生成する生成手段と、
前記映像と前記補正データとを前記映像処理装置の外部にある外部装置に送信する送信手段と、
を備える映像処理装置。
【請求項２】
前記生成手段は、前記映像のフレーム毎に前記補正データを生成し、
前記送信手段は、前記映像と前記映像のフレーム毎の前記補正データとを送信する、請求項１記載の映像処理装置。
【請求項３】
前記送信手段は、前記映像の各フレームと、前記映像のフレーム毎の前記補正データとが同期した状態で前記映像及び前記補正データを送信する、請求項２記載の映像処理装置。
【請求項４】
前記送信手段は、前記映像と、前記映像のフレーム毎の前記補正データと、前記映像の各フレームと前記補正データを同期させるための同期情報とを送信する、請求項２記載の映像処理装置。
【請求項５】
前記外部装置が生成可能な補正データに関する対応情報を取得する取得手段を更に備え、
前記送信手段は、前記対応情報に基づき、前記外部装置が生成できない補正データを送信する、請求項１記載の映像処理装置。
【請求項６】
前記生成手段は、前記映像の信号の輝度ヒストグラムに基づいて前記補正データを生成する、請求項１記載の映像処理装置。
【請求項７】
前記生成手段は、前記映像の空間周波数帯域の特徴に基づいて前記補正データを生成する、請求項１記載の映像処理装置。
【請求項８】
前記生成手段は、前記映像の番組情報に基づいて前記補正データを生成する、請求項１記載の映像処理装置。
【請求項９】
映像を処理する映像処理装置における映像処理方法であって、
前記映像の画質を調整するための補正データを生成することと、
前記映像と前記補正データとを前記映像処理装置の外部にある外部装置に送信することと、
を備える映像処理方法。
【請求項１０】
前記映像のフレーム毎に前記補正データを生成することと、
前記映像の各フレームと、前記映像のフレーム毎の前記補正データとが同期した状態で前記映像及び前記補正データを送信することと、
を備える請求項９記載の映像処理方法。 
【発明の詳細な説明】
【技術分野】
【０００１】
本発明の実施形態は映像処理装置及び映像処理方法に関する。
【背景技術】
【０００２】
テレビ等の映像処理装置は、映像信号処理専用のハードウエアやソフトウエアとの組み合わせにより多くの画質調整処理を実行している。例えば、ハードウエアで映像信号のレベルのヒストグラムを取り、そのヒストグラムを用いてソフトウエアにより映像信号の階調を補正するテーブルを作成し、そのテーブルを用いて映像信号を補正することで画質調整が実現されている。
【先行技術文献】
【特許文献】
【０００３】
【特許文献１】特開２００７−３６９４６号公報
【発明の概要】
【発明が解決しようとする課題】
【０００４】
近年、携帯情報端末において、家庭内のＴＶ等から配信されたの映像信号を受信し、当該映像信号をデコードして表示することが可能となっている。そしてこの場合、携帯情報端末においては、デコードや画質調整処理等をソフトウエアで実行することが多い。しかしながらソフトウェアでの画質調整は処理負荷が大きいため、画質調整処理を好適に実行できない恐れがある。
【０００５】
そこで本発明の実施形態は、外部装置が好適に画質調整処理を実行できることを可能とする映像処理装置及び映像処理方法の提供を目的とする。
【課題を解決するための手段】
【０００６】
上記の課題を解決するために、本実施形態に係る映像処理装置は、映像を処理する映像処理装置であって、生成手段と、送信手段とを備える。ここで、生成手段は、映像の画質を調整するための補正データを生成する。そして、送信手段は、映像と補正データとを映像処理装置の外部にある外部装置に送信する。
【図面の簡単な説明】
【０００７】
【図１】実施形態の映像処理装置の利用形態例を示す図。
【図２】実施形態の映像処理装置、及び情報処理端末のシステム構成例を示す図。
【図３】実施形態の映像処理装置による補正データの送信に係る処理フロー例を示す図。
【図４】実施形態の情報処理端末による映像表示に係る処理フロー例を示す図。
【発明を実施するための形態】
【０００８】
以下、図面を参照して実施形態を説明する。
【０００９】
図１は実施形態に係る映像処理装置の利用形態例を示す図である。実施形態に係る放送受信装置は、例えば映像処理装置１００として実現される。そして映像処理装置１００は、有線／無線通信により映像信号と当該映像信号の画質を調整（高画質化）するための補正データとを情報処理端末２００に送信する。なお、映像処理装置１００は例えば一般的な高画質化処理を実行することができるテレビ装置や録画装置等であり、映像処理装置１００は、当該高画質化処理の際に生成する補正データを情報処理端末２００に送信することにより、情報処理端末２００は低処理負荷で高画質化処理を実行することができる。ここで映像処理装置１００は、受信している放送信号を復調した符号化映像信号と補正データを、準リアルタイムで情報処理装置２００に送信しても良いし、あるいは符号化映像信号と補正データを記録した後、所定のユーザ操作に応じてこれらを情報処理装置２００に送信しても良い。そして情報処理端末２００は、受信した映像信号と補正データとを用いて当該映像信号の画質を調整し、画質調整した映像を表示する。なお図１においては図示しないが、映像処理装置１００は、映像信号と補正データとを中継装置を介して情報処理端末２００に送信しても良い。
【００１０】
次に図２を参照して、映像処理装置１００、情報処理端末２００のシステム構成例を説明する。
【００１１】
まず映像処理装置１００を説明する。映像処理装置１００は、受信部１０１、デコード部１０２、信号処理部１０３、ヒストグラム取得部１０４、表示部１０５、制御部１０６、記憶部１０７、通信部１０８等を備える。
【００１２】
受信部１０１は、例えば地上波デジタルテレビ放送や衛星デジタルテレビ放送の放送信号を受信するチューナ、あるいはＩＰＴＶ放送の放送信号を受信する通信モジュール等である。受信部１０１は、テレビ放送の放送信号を受信する場合、受信すべきチャンネルを選択して受信した後、受信した放送信号を復調する。そして受信部１０１は、復調により得られたＭＰＥＧ２等のフォーマットの符号化映像信号を出力する。また受信部１０１は、ＩＰＴＶ放送の符号化された放送信号を受信する場合は、受信した符号化映像信号を出力する。
【００１３】
デコード部１０２には、受信部１０１からの符号化映像信号が入力される。そしてデコード部１０２は、符号化映像信号を復号し、デジタル映像信号を図示しないメモリ内に生成し、当該デジタル映像信号を信号処理部１０３に出力する。
【００１４】
信号処理部１０３は、デコード部１０２から入力されたデジタル映像信号、即ち輝度信号Ｙと色差信号Ｃｂ／Ｃｒに対して信号処理を施した後、当該デジタル映像信号を変換してＲＧＢ信号を生成する。また信号処理部１０３は、後述する補正データを用いて輝度信号Ｙを階調補正（画質調整）する機能も有している。そして信号処理部１０３は、画質調整の後に得られたＲＧＢ信号を表示部１０５に出力する。表示部１０５は入力されたＲＧＢ信号を用いて映像を表示する。また信号処理部１０３は、入力された輝度信号Ｙをヒストグラム取得部１０４に出力する。
【００１５】
ヒストグラム取得部１０４は、映像の各フレームの輝度レベルについての輝度ヒストグラムを取得する。なおヒストグラム取得部１０４は、映像の各フレームの周波数帯域についての周波数ヒストグラムを取得しても良い。そしてヒストグラム取得部１０４により取得されたヒストグラムは、内部バスを介して制御部１０６に出力される。
【００１６】
制御部１０６は、映像処理装置１００の各構成を制御するモジュールであって、更に、入力されたヒストグラムをソフトウェア処理することにより階調補正用のルックアップテーブル（補正データ）を生成する機能を有する。ここで制御部１０６は、生成した補正データを信号処理部１０３に出力し、信号処理部１０３は、前述のように当該補正データを用いて映像信号の画質を調整する。
【００１７】
また制御部１０６は、情報処理端末２００に映像を送信させる場合や映像を録画する場合等において、補正データと映像とを同期させるための同期情報を補正データに付与する。即ち制御部１０６は、各フレーム用の補正データに対してタイムスタンプを付与する、あるいは制御部１０６は、補正データが何れのフレームを補正するためのものであるかを示す識別子等を付与する。また制御部１０６は、フレーム毎の補正データと映像とが同期している状態でパックにして、パックにされたデータを録画あるいは情報処理端末２００に送信しても良い。
【００１８】
なお、本実施形態で示した輝度ヒストグラムによる画質調整については特開２００７−３６９４６号公報に示したものと同様である。また、画質調整の際には、放送の番組情報に応じて異なる画質調整が施されても良い。即ち、例えばＥＰＧ等に含まれる番組のカテゴリ情報に応じて、ヒストグラムから補正データを生成する際のパラメータを変化させても良い。即ち、制御部１０６は、映像の番組情報に応じて異なる補正データを生成しても良い。なお当該パラメータ変化についても特開２００７−３６９４６号公報の変換パラメータについての記載と同様である。また制御部１０６は、輝度ヒストグラムだけでなく、周波数ヒストグラムに応じた補正データを生成しても良い。
【００１９】
記憶部１０７は、ユーザからの録画指示等に応じて、受信部１０１が出力した符号化映像信号を記憶（録画）する。そしてこの際に記憶部１０７は、録画対象の符号化映像信号の補正データと同期情報を記憶する。
【００２０】
通信部１０８は、情報処理装置２００に対して映像と補正データ（同期情報含む）を送信する。なお通信部１０８は、符号化映像信号の形式で映像を送信しても良いし、あるいはデコード部１０２でデコードされたデジタル映像信号の形式で映像を送信しても良い。即ち通信部１０８は、受信部１０１から出力される符号化映像信号と補正データとを送信することと、受信部１０１から出力された符号化映像信号をデコード部１０２が復号したデジタル映像信号と補正データとを送信することと、記憶部１０７に記憶された符号化映像信号と補正データとを送信することと、記憶部１０７に記憶された符号化映像信号をデコード部１０２が復号したデジタル映像信号と補正データとを送信すること、が可能である。なお通信部１０８は、デジタル映像信号を送信する場合、例えばＨＤＭＩの伝送信号中のブランキング領域に、映像の各フレームと補正データとを同期させるための同期情報を付与しても良い。
【００２１】
次に情報処理端末２００について説明する。情報処理端末２００は、通信部２０１、デコード部２０２、信号処理部２０３及び表示部２０４等を備える。なおデコード部２０２や信号処理部２０３は、一般的にはソフトウェアモジュールであるが、ハードウェアモジュールであっても良い。
【００２２】
通信部２０１は、映像処理装置１００から送信される映像と補正データ（同期情報を含む）とを受信する。そして通信部２０１は、受信した映像が符号化映像信号である場合、当該符号化映像信号をデコード部２０２に出力し、受信した映像がデジタル映像信号である場合、当該デジタル映像信号を信号処理部２０３に出力する。なお通信部２０１は、補正データを信号処理部２０３に出力する。
【００２３】
デコード部２０２は、入力された符号化映像信号を復号してデジタル映像信号を生成する。そして信号処理部２０３は、デコード部２０３又は通信部２０１から入力されたデジタル映像信号を処理してＲＧＢ信号を生成する。信号処理部２０３は、当該ＲＧＢ信号の生成において、通信部２０１から入力された補正データを用いて映像の画質調整を行う。なお画質調整の際には、同期情報を用い、フレーム毎に用意された補正データと、デジタル映像信号のフレームとを同期させて処理を行う。そして表示部２０４は、信号処理部２０３から出力されるＲＧＢ信号を用いて映像を表示する。
【００２４】
図３は、映像処理装置１００における映像と補正データの送信に係る処理フロー例を示す図である。
【００２５】
まず受信部１０１は、テレビ放送信号等の符号化映像信号を受信する（Ｓ３０１）。そしてデコード部１０２は当該符号化映像信号を復号する（Ｓ３０２）。復号により得られたデジタル映像信号は信号処理部１０３に入力され、信号処理により輝度信号Ｙが抽出される（Ｓ３０３）。そしてヒストグラム取得部１０４は、輝度信号Ｙから輝度ヒストグラムを取得する（Ｓ３０４）。なお信号処理部１０３は、ヒストグラム取得部３０４が周波数ヒストグラムを取得する場合等において、色差信号ＣｒＣｂを抽出しても良い。そしてヒストグラム取得部１０４は、輝度信号Ｙ及び色差信号ＣｒＣｂから周波数ヒストグラムを取得する。
【００２６】
ヒストグラム取得部１０４がヒストグラムを取得すると、制御部１０６はフレーム毎に画質調整するためのルックアップテーブル（補正データ）を生成する（Ｓ３０５）。またこのとき制御部１０６は、補正データと映像とを同期させるための同期情報を生成する。
【００２７】
そして通信部１０８は、映像と補正データと同期情報とを情報処理端末２００に送信する。なお、前述したように、映像処理装置１００は、受信している映像を録画せず準リアルタイムで送信しても良いし、あるいは録画した映像を送信しても良い。また、映像として符号化映像信号を送信しても良いし、復号されたデジタル映像信号を送信しても良い。
【００２８】
次に図４を参照して、情報処理端末２００による映像表示に係る処理フロー例を説明する。まず通信部２０１は、映像と補正データと同期情報とを受信する（Ｓ４０１）。そしてデコード部２０２は、受信された符号化映像信号を復号し（Ｓ４０２）、デジタル映像信号を信号処理部２０３に出力する。なお通信部２０１が受信した映像がデジタル映像信号である場合、当該信号はデコード部２０２を通らず信号処理部２０３に入力される。信号処理部２０３は、通信部２０１が受信した補正データ及び同期情報と、デジタル映像信号とを用いて、各フレームの画質を調整し（Ｓ４０３）、ＲＧＢ信号を生成する。そして表示部２０４は、画質調整されたＲＧＢ信号を用いて映像を表示する（Ｓ４０４）。
【００２９】
なお上記の実施形態においては、情報処理端末２００がヒストグラム取得や補正データの生成に対応していない場合を説明しているが、情報処理端末２００はヒストグラム取得及び補正データの生成に対応していても良い。そしてこの場合に映像処理装置１００は、情報処理端末２００とネゴシエーションを行って、どちらが補正データを生成するかを決定しても良い。また、映像処理装置１００の通信部１０８は、情報処理端末２００から、当該情報処理端末２００が生成可能な補正データについての情報、及び生成不可能な補正データについての情報を取得しても良い。そして、情報処理端末２００が、輝度ヒストグラムによる補正データ生成及び周波数ヒストグラムによる補正データ生成のうち一方の補正データ生成にのみ対応している場合、映像処理装置１００は、情報処理端末２００が対応していない補正データを生成して送信しても良い。そしてこの場合に情報処理端末２００は、映像処理装置１００から送信された補正データと、自身で生成した補正データとの両方を用いて画質調整する。
【００３０】
なお、本発明の実施形態は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。
【符号の説明】
【００３１】
１００…映像処理装置、１０１…受信部、１０２…デコード部、１０３…信号処理部、１０４…ヒストグラム取得部、１０５…表示部、１０６…制御部、１０７…記憶部、１０８…通信部、２００…情報処理端末、２０１…通信部、２０２…デコード部、２０３…信号処理部、２０４…表示部
【図１】
2013251768.tif 000003
【図２】
2013251768.tif 000004
【図３】
2013251768.tif 000005
【図４】
2013251768.tif 000006